【手続補正書】
【提出日】平成19年7月3日(2007.7.3)
【手続補正１】
【補正対象書類名】明細書
【補正対象項目名】特許請求の範囲
【補正方法】変更
【補正の内容】
【特許請求の範囲】
【請求項１】  略平面状の底面を有する下ケースと、該下ケースに直接若しくは間接に取付けられた伸縮式ノズル装置や室内暖房ユニット等の付随機器と、該付随機器を備えた下ケースを被覆する上ケースと、該上ケースに回動自在に支持される便座とを備えた局部洗浄装置において、
前記上ケースに前記伸縮式ノズル装置の進出角度と略同一な角度をなす傾斜部を設け、
前記上ケース及び下ケースの片側側方を便座側面よりも外側に張り出す張出部となし、
前記室内暖房ユニットを前記伸縮式ノズル装置に平行に設け、さらに室内暖房ユニットの出口ダクトを前記ノズル装置のノズル本体の傾斜に平行に設けて、室内暖房ユニットを前記張出部の内部空間に収納したことを特徴とする局部洗浄装置。
【請求項２】  請求項１記載の局部洗浄装置において、前記上ケースの張出部上面に室内暖房ユニットの運転を指示する運転スイッチを配置したことを特徴とする局部洗浄装置。
【請求項３】  請求項２記載の局部洗浄装置において、前記運転スイッチを覆う蓋を設けたことを特徴とする局部洗浄装置。
【請求項４】  請求項３記載の局部洗浄装置において、前記運転スイッチを設ける部位を前記傾斜部よりも低い面とし、前記蓋を閉じた状態で前記傾斜部と略同一面となるよう構成したことを特徴とする局部洗浄装置。
【請求項５】  請求項１〜請求項４のいずれか１項に記載の局部洗浄装置において、前記下ケースの張出部下方に前記室内暖房ユニットの排出口を設けたことを特徴とする局部洗浄装置。
【請求項６】  請求項１〜請求項５のいずれか１項に記載の局部洗浄装置において、前記下ケースの張出部下方に前記室内暖房ユニットの吸気口を設けたことを特徴とする局部洗浄装置。
【請求項７】  略平面状の底面を有する下ケースを備え、該下ケースに直接若しくは間接に取付けられた伸縮式ノズル装置や室内暖房ユニット等の付随機器を上ケースで被覆し、該上ケースに回動自在に支持される便座を設けた局部洗浄装置において、
前記上ケースに、倒伏状態の前記便座の下面と重合する傾斜部を設け、
前記上ケース及び下ケースの片側側方を前記便座側面よりも外側に張り出す張出部となし、該張出部の内部空間を前記室内暖房ユニット収納空間としたことを特徴とする局部洗浄装置。
【請求項８】  請求項７記載の局部洗浄装置において、前記傾斜部の傾斜と略平行に室内暖房ユニットの出口ダクトを配したことを特徴とする局部洗浄装置。
【手続補正２】
【補正対象書類名】明細書
【補正対象項目名】０００２
【補正方法】変更
【補正の内容】
【０００２】
【従来の技術】
従来、この種の局部洗浄装置は、便座や洗浄ノズルを備えたケーシング本体の底面側を、便器の便座後方に取付用プレートやボルトなどによって固定して使用される。ケーシング本体の片側には、洗浄用の温水を貯めるタンクが張り出すように配設されており、このタンクはケーシング袖部内に収められている。ケーシング袖部は、ケーシング本体を覆う本体ケースと一体に連通するように成形されている。また、ケーシング袖部の底部に、室内暖房ユニットを配設されている。従って、ケーシング袖部内の上側に、タンクやその給水口などの水路系部品が内装されて、タンクの直ぐ下側に、室内暖房ユニットを構成する加熱器や送風器が配設されていた。室内暖房ユニットの加熱器などは特に水に弱い電気部品を備えており、各部品を収めるハウジングは、一応は内部に水が侵入しにくいように設計されている。また、ハウジングには、外部から延びるリード線が引き込まれており、リード線を介して給電され作動していた。
【特許文献１】  特開２０００−６４３８７号公報  （図１、図２）
【手続補正３】
【補正対象書類名】明細書
【補正対象項目名】０００６
【補正方法】変更
【補正の内容】
【０００６】
請求項１の発明においては、略平面状の底面を有する下ケースと、該下ケースに直接若しくは間接に取付けられた伸縮式ノズル装置や室内暖房ユニット等の付随機器と、該付随機器を備えた下ケースを被覆する上ケースと、該上ケースに回動自在に支持される便座とを備えた局部洗浄装置において、前記上ケースに前記伸縮式ノズル装置の進出角度と略同一な角度をなす傾斜部を設け、前記上ケース及び下ケースの片側側方を便座側面よりも外側に張り出す張出部となし、前記室内暖房ユニットを前記伸縮式ノズル装置に平行に設け、さらに室内暖房ユニットの出口ダクトを前記ノズル装置のノズル本体の傾斜に平行に設けて、室内暖房ユニットを前記張出部の内部空間に収納したことで、室内暖房ユニットを下ケースよりも下方に配置する必要が無くなり、施工作業時、便器側方に張り出す張出部が邪魔になることが無い。
【手続補正４】
【補正対象書類名】明細書
【補正対象項目名】０００７
【補正方法】変更
【補正の内容】
【０００７】
また、上ケース側に取付く機器がないので配線作業等の組立て作業を楽にすると共に、メンテナンス時、その配線等が切れるといった不具合を生じることがない。
【手続補正５】
【補正対象書類名】明細書
【補正対象項目名】０００８
【補正方法】変更
【補正の内容】
【０００８】
さらに、前記傾斜部を便座との重合面として利用でき、座面を広く確保することができ、小さくなったにも関わらず、使用感を落とすことが無い。
【手続補正６】
【補正対象書類名】明細書
【補正対象項目名】０００９
【補正方法】変更
【補正の内容】
【０００９】
さらにまた、室内暖房ユニットの吸気口及び排出口を下ケース底面に設けることができ、外観をすっきりとすることができる。
【手続補正７】
【補正対象書類名】明細書
【補正対象項目名】００１０
【補正方法】変更
【補正の内容】
【００１０】
請求項２の発明では、請求項１記載の発明に加え、前記上ケースの張出部上面に室内暖房ユニットの運転を指示する運転スイッチを配置したので、室内暖房ユニットを設けない機種との設計を共通とすることができ、設計負荷が軽くなるというメリットがある。
【手続補正８】
【補正対象書類名】明細書
【補正対象項目名】００１１
【補正方法】変更
【補正の内容】
【００１１】
請求項３の発明では、請求項２記載の発明に加え、前記運転スイッチを覆う蓋を設けたので、誤ってスイッチがオンすることがなく、無駄なエネルギー消費をなくすことができる。
【手続補正９】
【補正対象書類名】明細書
【補正対象項目名】００１２
【補正方法】変更
【補正の内容】
【００１２】
請求項４の発明では、請求項３記載の発明に加え、前記運転スイッチを設ける部位を前記傾斜部よりも低い面とし、前記蓋を閉じた状態で前記傾斜部と略同一面となるよう構成したので、塵埃等の堆積を防止できると共に、外観をすっきりさせることができる。
【手続補正１０】
【補正対象書類名】明細書
【補正対象項目名】００１３
【補正方法】変更
【補正の内容】
【００１３】
請求項５の発明では、請求項１〜請求項４のいずれか１項に記載の発明に加え、前記下ケースの張出部下方に前記室内暖房ユニットの排出口を設けたので、使用者の足元を狙って効率的にトイレ室内を暖房することが可能となる。
【手続補正１１】
【補正対象書類名】明細書
【補正対象項目名】００１４
【補正方法】変更
【補正の内容】
【００１４】
請求項６の発明では、請求項１〜請求項５のいずれか１項に記載の発明に加え、前記下ケースの張出部下方に前記室内暖房ユニットの吸気口を設けたので、吸気口に塵埃が堆積しづらい構成とすることができる。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
請求項７の発明では、略平面状の底面を有する下ケースを備え、該下ケースに直接若しくは間接に取付けられた伸縮式ノズル装置や室内暖房ユニット等の付随機器を上ケースで被覆し、該上ケースに回動自在に支持される便座を設けた局部洗浄装置において、前記上ケースに、倒伏状態の前記便座の下面と重合する傾斜部を設け、前記上ケース及び下ケースの片側側方を前記便座側面よりも外側に張り出す張出部となし、該張出部の内部空間を前記室内暖房ユニット収納空間としたので、室内暖房ユニットを下ケースよりも下方に配置する必要が無くなり、施工作業時、便器側方に張り出す張出部が邪魔になることが無い。
【手続補正１９】
【補正対象書類名】明細書
【補正対象項目名】００２２
【補正方法】変更
【補正の内容】
【００２２】
また、上ケース側に取付く機器がないので配線作業等の組立て作業を楽にすると共に、メンテナンス時、その配線等が切れるといった不具合を生じることがない。
【手続補正２０】
【補正対象書類名】明細書
【補正対象項目名】００２３
【補正方法】変更
【補正の内容】
【００２３】
請求項８の発明では、請求項７記載の発明に加え、前記傾斜部の傾斜と略平行に室内暖房ユニットの出口ダクトを配したので、前記傾斜部を便座との重合面として利用でき、座面を広く確保することができ、小さくなったにも関わらず、使用感を落とすことが無い。
【手続補正２１】
【補正対象書類名】明細書
【補正対象項目名】００２４
【補正方法】削除
【補正の内容】
【手続補正２２】
【補正対象書類名】明細書
【補正対象項目名】００６３
【補正方法】変更
【補正の内容】
【００６３】
乾燥ヒータ１３４は、マイカ等の耐熱性を有する２個の支持板１３４ａ、１３４ｂを対称線部分に形成したスリットを相互に噛み合わせて接合し、それらの長手方向一端を固定金具１３４ｃを用いて挟持一体化して横断面Ｘ字形状となる主体１３４ｄを構成し、この主体１３４ｄの周部となる各支持体１３４ａ、１３４ｂの稜線部分に等間隔で複数の凹部１３４ｅ、凹部１３４ｆを形成する。なお、凹部１３４ｅは傾斜を付けて形成する。また、この傾斜は上下の稜線で逆とする。以上のように構成してなる主体１３４ｄの外周、即ち、各支持板１３４ａ、１３４ｂの稜線部分において、該稜線上に形成した凹部１３４ｅに嵌合させて数本のコイル状電熱線１３４ｇを交互に、且つ各支持体１３４ａ，１３４ｂの一側から他側に向かって螺旋状となるように捲回する。なお、支持体１３４ｂは２枚のマイカ板からなり、温度ヒューズ１３４は２枚のマイカ板に収納用切込を設けその部分に挟み込み、２枚のマイカ板間で、リード線取出部１３４ｉと電熱線１３４ｇ、電熱線１３４ｇと温度ヒューズ１３４ｈ、温度ヒューズ１３４ｈとリード線取出部１３４ｊとを夫々結線接続し、このように結線された乾燥ヒータ１３４を乾燥ヒータ収納箱１３５内に収納しユニット化する。なお、支持体１３４ａに設けた３個所の取付部１３４ｋは収納箱に設けたスリット１３５ａから外側へ突出させる。ところで、従来は支持板１３４ｂ上に温度ヒューズ１３４ｈが設置され、また、結線も支持板１３４ｂ上で行われていたのだが、2枚のマイカ板の間で結線を行うようにしたので、乾燥用ヒータ１３４を従来よりも薄くすることが可能である。また、凹部１３４ｅを傾斜して設けたので、コイル状電熱線１３４ｇ捲回時、外れにくくすることができ、作業性が向上する。
乾燥用ファン１３７は中央にモータ（図示無）を一体化しており、その下部を吸込口（図示無）とし、周囲の一端を吐出口１３７ａとする。また、乾燥用ファン１３７の周囲に２個所の取付部１３７ｂ、１３７ｃを設ける。なお、この乾燥用ファン１３７は脱臭用ファン１４５と兼用する。
【手続補正２３】
【補正対象書類名】明細書
【補正対象項目名】００８４
【補正方法】変更
【補正の内容】
【００８４】
室内暖房用ファン２１３は、外郭を構成するダクトと、ダクト内に配されるファンと、ファンを駆動するファンモータ（図示無）とで構成し、ダクトには吸込口２１３ａ、出口２１３ｂ、取付部２１３ｃ、２１３ｄを設ける。
【手続補正２４】
【補正対象書類名】明細書
【補正対象項目名】００８５
【補正方法】変更
【補正の内容】
【００８５】
室内暖房ヒータ２１４は、マイカ等の耐熱性を有する３個の支持板２１４ａ、２１４ｂ、２１４ｃを対称線部分に形成したスリットを相互に噛み合わせて接合し、それらの長手方向一端を固定金具２１４ｄ、２１４ｅを用いて挟持一体化して横断面Ｘ字形状となる主体２１４ｆを構成し、この主体２１４ｆの周部となる各支持体２１４ａ、２１４ｂ，２１４ｃの稜線部分に等間隔で複数の凹部２１４ｇ、凹部２１４ｈ、凹部２１４ｉを形成する。以上のように構成してなる主体２１４ｆの外周、即ち、各支持板２１４ａ、２１４ｂ，２１４ｃの稜線部分において、該稜線上に形成した凹部２１４ｇ、凹部２１４ｈ、凹部２１４ｉに嵌合させてコイル状電熱線２１４ｊを各支持体２１４ａ，２１４ｂ，２１４ｃの一側から他側に向かって螺旋状となるように捲回する。なお、支持体２１４ａは２枚のマイカ板からなり、温度ヒューズは２枚のマイカ板に収納用切込２１４ｋを設けその部分に挟み込み、２枚のマイカ板間で、リード線取出部２１４ｌと電熱線２１４ｊ、電熱線２１４ｊと温度ヒューズ（図示無）、温度ヒューズ（図示無）と他方のリード線取出部２１４ｍとを夫々結線接続し、このように結線された室内暖房ヒータ２１４を乾燥ヒータ収納箱２１４ｎ内に収納しユニット化する。なお、支持体２１４ａに設けた３個所の取付部２１４ｐは収納箱に設けたスリット２１４ｑから外側へ突出させる。ところで、従来は支持板２１４ａ上に温度ヒューズが設置され、また、結線も支持板２１４ａ上で行われていたのだが、２枚のマイカ板の間で結線を行うようにしたので、室内暖房用ヒータ２１４を従来よりも薄くすることが可能である。